(57)【要約】      （修正有）【課題】自転車のサドルは、雨の後や埃がたまっている時には、直ちに乗車できない。サドルを綺麗に保ちかつ、直ぐに乗車可能とする。【解決手段】自転車のサドル１の上にビニール製で出来たカバー３で、サドル１を覆う。カバー３の淵の周りにゴム帯をつけることにより、サドル１を雨水、埃、汚れから完全に防げ、サドル１を覆う事ができる。乗車時は、カバー３を外して、サドル１の前下部のサドルの支柱棒２に固定されている、カバー収納袋５に収める。カバー３とカバー収納袋５とは、帯状の紐４で連結されており、カバー３を収納する収納袋５には、蓋６がついていているので、紛失や雨水や埃、汚れから守ることができ、必要なときに直ぐに使用可能である。【選択図】図１
2006335333.tif 000002
【特許請求の範囲】
【請求項１】
自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蒸をしておく、、ここに入れて置く事が、、紛失や雨水や埃、汚れから守ることができ、必要なときに直ぐに役立つのである
【発明の詳細な説明】
【技術分野】
【０００１】自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蓋をしておく、、ここに入れて置く事が、、紛失や雨水や埃、汚れから守ることができ、必要なときに直ぐに役立つのである
【背景技術】
【０００２】日常自転車を走行する時に、サドルを丁寧に拭いて乗るのを見かけるのめずらしい位少ない、、特に雨水、埃が多いとき、は直ちにのれないので身近にある物で拭いたり、手で吹き払ったりして乗る、そのような作業はいやな思いをするケースが多にある、そのようないやな思いから開放出来て気持ちよく直ぐに乗ることが出来ればと思いなにか良い方法がないかと思考、工夫、したのが本発明である。これを使用することによって、いやな思いをする事がなくいつもサドルが綺麗で気持よく乗る事ができる、ので大変便利である。
【発明の開示】
【発明が解決しようとする課題】
【０００３】自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蓋をしておく、、ここに入れて置く事が、、紛失や雨水や埃、汚れから守ることができ、必要なときに直ぐに役立つのである
日常自転車を走行する時に、サドルを丁寧に拭いて、乗るのを見かけるのは珍しい位少ない、特に雨水、埃が多いとき、は直ちに乗れないのでつい身近にある物で拭いたり、手で吹き払ったりして乗る、その様な作業はいやな思いをするケースが多にある、その様ないやな思いから開放出来て、気持ち良く直ぐに乗る事が出来ればと思い、何か良い方法が無いかと、思考、工夫、したのが本発明である。これを使用する事によって、いやな思いをする事がなく、いつもサドルが綺麗で気持ち良く乗る事ができるので大変便利である
【課題を解決をするための手段】
【０００４】自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蓋をしておく、、ここに入れて置く事が、、紛失や雨水や埃、汚れから守ることができ、必要なときに直ぐに役立つのである
日常自転車を走行する時に、サドルを丁寧に拭いて、乗るのを見かけるのは珍しい位少ない、特に雨水、埃が多いとき、は直ちに乗れないのでつい身近にある物で拭いたり、手で吹き払ったりして乗る、その様な作業はいやな思いをするケースが多にある、その様ないやな思いから開放出来て、気持ち良く直ぐに乗る事が出来ればと思い、何か良い方法が無いかと、思考、工夫、したのが本発明である。これを使用する事によって、いやな思いをする事がなく、いつもサドルが綺麗で気持ち良く乗る事ができるので大変便利である
【発明の効果】
【０００５】自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蓋をしておく、、ここに入れて置く事が、、紛失や雨水や埃、汚れから守ることができ、必要なときに直ぐに役立つのである
日常自転車を走行する時に、サドルを丁寧に拭いて、乗るのを見かけるのは珍しい位少ない、特に雨水、埃が多いとき、は直ちに乗れないのでつい身近にある物で拭いたり、手で吹き払ったりして乗る、その様な作業はいやな思いをするケースが多にある、その様ないやな思いから開放出来て、気持ち良く直ぐに乗る事が出来ればと思い、何か良い方法が無いかと、思考、工夫、したのが本発明である。これを使用する事によって、いやな思いをする事がなく、いつもサドルが綺麗で気持ち良く乗る事ができるので大変便利である
【発明を実施するための最良の形態】
【０００６】自転車のサドルの上に白いビニール製で出来た、サドルに合ったカバー袋地に必要な大きさの、、袋地の淵の周りに必要な高さの幅を持って、其の淵の周りにゴム帯をつけて、サドルを雨水、埃、汚れから完全に防げ、サドルを覆う事ができる。そしてその使用後は、それをはずして、サドルの前分の下部のサドルの支柱棒に、固定されている、、カバー袋地のふちの任意の位置から帯たいが必要な長さに伸びていて、カバー袋を収納する袋の一部分の位置と連結して一体とになっていて、、収納袋に収める事ができる、ことにより保管が出来る、サドルの前部の下部にカバー袋をいれを設け、その後部の一部分の位置にハトメで止めた、帯状の紐にマジックテープのオンをつけ、対の部分の位置にメンを設け、、サドルの軸をテープの、オン、メンで挟み動かないように固定する。カバー袋を収納する収納袋には、蓋がついていている。使用後のカバー袋を入れた後、埃、雨水、汚れ、から守るために蓋をしておく、、ここに入れて置く事が、、紛失や雨水や埃、汚れから守ることができ、必要なときに直ぐに役立つのである
日常自転車を走行する時に、サドルを丁寧に拭いて、乗るのを見かけるのは珍しい位少ない、特に雨水、埃が多いとき、は直ちに乗れないのでつい身近にある物で拭いたり、手で吹き払ったりして乗る、その様な作業はいやな思いをするケースが多にある、その様ないやな思いから開放出来て、気持ち良く直ぐに乗る事が出来ればと思い、何か良い方法が無いかと、思考、工夫、したのが本発明である。これを使用する事によって、いやな思いをする事がなく、いつもサドルが綺麗で気持ち良く乗る事ができるので大変便利である
【図面の簡単な説明】
【０００７】
【図１】本発明の斜視図
【図２】本発明の各部分品の斜視図
【符号の説明】
【０００８】  １    サドル
２    サドルの支持棒
３    サドルを覆うカバー袋
４    カバー袋の端から延びてカバー袋の端と連結している帯状の帯びたい
５    カバー袋を収納する収納袋
６    収納袋に付いている蓋
７    収納袋の先端に付いている蓋の握り手
８    収納袋の先端に付いている蓋に鍵を付ける部分
９    収納袋の背裏に固定されて横に延びている帯びたい
１０    収納袋の背裏に固定している鳩目
１１    帯びたいのオンと合着する本体に付いているメン
【図１】
2006335333.tif 000003
【図２】
2006335333.tif 000004